(57)【要約】【課題】部品点数の削減や、使用部品の構造の単純化により、コスト低減を図ることができ、また可動物の移動に伴うワイヤハーネスの移行を円滑に行い得るワイヤハーネスの配索構造を提供すること。【解決手段】固定構造物に固定される固定側連結部と可動構造物に固定される可動側連結部との間のワイヤハーネスの延長部分１３ｃは、電線３１が１枚の帯状の板バネ２７を添えられて結束手段３３により結束され、外装部材２９により覆われて構成される。ワイヤハーネスの両端部には固定側プロテクタ及び可動側プロテクタがそれぞれ装備される。ワイヤハーネスは固定構造物と可動構造物とに跨って略Ｕ字状又は円弧状に撓ませた形態に配索される。可動構造物の移動に伴う延長部分１３ｃの異常変位が１枚の帯状の板バネ２７により規制されることで、部品点数の削減や使用部品の構造の単純化を実現することができ、また、省スペース化を図ることができる。【選択図】図４
2010213376.tif 000002
【特許請求の範囲】
【請求項１】
固定構造物上の電機部品に一端が電気的に接続され、可動構造物上の電機部品に他端が電気的に接続される電線と、当該電線の幅よりも大きい幅の帯状の板バネとを備え、当該帯状の板バネに沿わせて前記電線を固定し、且つ前記帯状の板バネ及び前記電線を外装部材で被覆したワイヤハーネス組立体と、
当該ワイヤハーネス組立体の一端に固定され前記固定構造物に固定される固定側プロテクタと、
前記ワイヤハーネス組立体の他端に固定され前記可動構造物に固定される可動側プロテクタと、
を備え、
前記固定側プロテクタを前記固定構造物に固定するとともに、前記可動側プロテクタを前記可動構造物に固定することを特徴とするワイヤハーネスの配索構造。
【請求項２】
前記固定側プロテクタ及び前記可動側プロテクタの少なくとも一方の電線延在側に、前記ワイヤハーネス組立体の幅方向の動きを規制する対向する規制部材が設けられ、前記規制部材間の間隔が、電線延在方向に向かって拡大されていることを特徴とする請求項１に記載のワイヤハーネスの配索構造。
【発明の詳細な説明】
【技術分野】
【０００１】
本発明は、例えば自動車のスライドドア、ハッチバックドア等の可動構造物上の電機部品等に給電するために、前記可動構造物が移動可能に装備された固定構造物と可動構造物とに跨って配索されるワイヤハーネスの配索構造に関する。
【背景技術】
【０００２】
例えば、自動車に配索されるワイヤハーネスの内、スライドドア、ハッチバックドア等の可動構造物上の電機部品等に給電するワイヤハーネスは、前記可動構造物が移動可能に装備されている車体フレーム等の固定構造物と前記可動構造物とに跨って配索される。
【０００３】
図６は、下記特許文献１により開示されたスライドドア給電機構を示すものである。即ち、スライドドア給電機構を構成する電線の可撓部は、給電線４１ａ，４１ｂ，４１ｃを絶縁体４２により被覆したフレキシブル導体４３と、フレキシブル導体４３に沿って配設される帯状鋼板４４と、フレキシブル導体４３と帯状鋼板４４とを摺接可能に被覆する熱収縮チューブ４５とにより構成されている。なお、上記帯状鋼板４４は、一側面が凹面４４ａに、他側面が凸面４４ｂに形成されている。
【先行技術文献】
【特許文献】
【０００４】
【特許文献１】特開２０００−１７７３９２号公報
【発明の概要】
【発明が解決しようとする課題】
【０００５】
しかし、上記構造では、電線の可撓部を屈曲させるときの曲げＲを一定に確保し、且つばたつきを抑えるためには、柔軟性のある湾曲支持板（帯状鋼板）が複数枚必要になる。
また、複数枚の支持板が摺動する際の磨耗破損を防ぐために、摺動を補助する材料を添付する必要がある。
また、電線の曲げＲに対して湾曲支持板の湾曲Ｒがそれぞれ異なるため、曲げＲ毎に専用の湾曲支持板が必要になり、部品点数が増大する。
【０００６】
本発明の目的は、上記課題を解消することに係り、ワイヤハーネスの配索に使用する部品点数の削減や、使用部品の構造の単純化を図るとともに、ワイヤハーネスの移動を円滑に行い得るように構成したワイヤハーネスの配索構造を提供することにある。
【課題を解決するための手段】
【０００７】
本発明の上記目的は、下記構成により達成される。
（１）固定構造物上の電機部品に一端が電気的に接続され、可動構造物上の電機部品に他端が電気的に接続される電線と、当該電線の幅よりも大きい幅の帯状の板バネとを備え、当該帯状の板バネに沿わせて前記電線を固定し、且つ前記帯状の板バネ及び前記電線を外装部材で被覆したワイヤハーネス組立体と、
当該ワイヤハーネス組立体の一端に固定され前記固定構造物に固定される固定側プロテクタと、
前記ワイヤハーネス組立体の他端に固定され前記可動構造物に固定される可動側プロテクタと、
を備え、
前記固定側プロテクタを前記固定構造物に固定するとともに、前記可動側プロテクタを前記可動構造物に固定することを特徴とするワイヤハーネスの配索構造。
【０００８】
（２）前記固定側プロテクタ及び前記可動側プロテクタの少なくとも一方の電線延在側に、前記ワイヤハーネス組立体の幅方向の動きを規制する対向する規制部材が設けられ、前記規制部材間の間隔が、電線延在方向に向かって拡大されていることを特徴とする上記（１）に記載のワイヤハーネスの配索構造。
【０００９】
上記（１）の構成によれば、可動構造物の移動に伴うワイヤハーネス組立体の延長部分のばたつき等の異常変位は、当該延長部分に添えられた１枚の帯状の板バネの剛性及び弾性力の作用により規制される。
【００１０】
上記（２）の構成によれば、固定側プロテクタ及び可動側プロテクタの少なくとも一方に設けられた規制部材の間隔が、電線延在方向に向かって拡大されているので、ワイヤハーネス組立体の延長部分が撓み変形した時に帯状の板バネが捩れることがあって、帯状の板バネの捩れの影響で幅方向へ移動する力が作用しても、ワイヤハーネス組立体が幅方向に移動できる遊びが形成されているので、プロテクタに無理な負荷が加わらず、またワイヤハーネス組立体はスムーズに撓み変形することができる。
【発明の効果】
【００１１】
本発明によるワイヤハーネスの配索構造によれば、ワイヤハーネスの延長部分の異常変位を規制するための部品は、延長部分に添えられた１枚の帯状の板バネであるため、延長部分の異常変位の規制に湾曲した帯状鋼板を使用していた従来の給電機構と比較すると、使用する部品点数を大幅に削減できると同時に、使用部品の構造を単純化することができ、その配索構造を採用する装置のコスト低減を図ることができる。
【図面の簡単な説明】
【００１２】
【図１】本発明に係るワイヤハーネスの配索構造の一実施形態を示すものであって、ワイヤハーネスの配索構造において可動構造物である窓ガラスの昇降移動に伴ってワイヤハーネスの延長部分の湾曲部が移行する状況の説明図である。
【図２】固定側コネクタの構成を示す平面図である。
【図３】ワイヤハーネス組立体の構成を示す平面図である。
【図４】ワイヤハーネス組立体の構成を示す一部切り欠き拡大平面図である。
【図５】ワイヤハーネス組立体の構成を示す一部切り欠き拡大斜視図である。
【図６】従来のスライドドア給電機構の構成を示す断面図である。
【発明を実施するための形態】
【００１３】
以下、本発明に係るワイヤハーネスの配索構造の好適な実施形態について、図面を参照して詳細に説明する。
【００１４】
図１に示したバックドア３には、上下方向（図１の矢印Ｅ方向）に昇降する窓ガラス５が装備されている。この窓ガラス５には、不図示の曇り止め用の電熱線等の電気部品が設けられている。
【００１５】
本発明の一実施形態のワイヤハーネスの配索構造１１は、窓ガラス５上の電気部品等への給電のために、固定構造物に相当するバックドア３のドアパネル３ａと、ドアパネル３ａに移動可能に装備された可動構造物に相当する窓ガラス５とに跨って図３に示すワイヤハーネス組立体１３を配索するものである。
【００１６】
窓ガラス５は、不図示の昇降機構により、図１に矢印Ｅで示す方向に昇降可能にドアパネル３ａに取り付けられている。図１において、符合５Ａは上限位置に移動した窓ガラスを示し、符合５Ｂは中間位置に移動して窓を半開した状態のときの窓ガラスを示し、符合５Ｃは下限位置に移動して窓を全開した状態のときの窓ガラスを示している。
図１に示すように、窓ガラス５の昇降に伴い、ドアパネル３ａと窓ガラス５とに跨って配索されるワイヤハーネス組立体１３の延長部分１３ｃの湾曲位置が移動する。
【００１７】
本実施形態の場合、ドアパネル３ａの内面側には、窓ガラス５の側方で上下方向に沿って、固定側プロテクタ２１が固定装備されている。
【００１８】
固定側プロテクタ２１は、例えば、チャンネル型の型抜き材を利用したもので、溝を窓ガラス５側に向けて装備されていて、窓ガラス５の降下時に、ドアパネル３ａ側から垂れ下がるワイヤハーネス組立体１３を収容して、垂れ下がるワイヤハーネス組立体１３の位置規制を行う。
【００１９】
この一実施形態のワイヤハーネスの配索構造１１に使用されるワイヤハーネス組立体１３は、図２．図３に示すように、固定側構造物であるドアパネル３ａの固定側プロテクタ２１上に固定される固定側連結部１３ａと、可動構造物である窓ガラス５上に固定される可動側連結部１３ｂとの間の延長部分１３ｃに、窓ガラス５の昇降移動を許容するための余長が付与されている。
【００２０】
ワイヤハーネス組立体１３の固定側連結部１３ａは、ドアパネル３ａに固定される固定側プロテクタ２１に結束バンド２３により取り付けられている。固定側プロテクタ２１は、不図示の固定用孔を挿通するねじ等により、ドアパネル３ａ上に固定される。
【００２１】
また、可動側連結部１３ｂには、窓ガラス５に固定するための連結部材である可動側プロテクタ２５が結束バンド２３により取り付けられている。可動側プロテクタ２５は、不図示の固定用孔を挿通するねじ等により、窓ガラス５に固定される。
【００２２】
上記ワイヤハーネス組立体１３において、固定側連結部１３ａと可動側連結部１３ｂとの間の延長部分１３ｃは、図４及び図５に示すように、延長部分１３ｃを構成する電線３１に帯状の板バネ２７を縦添えして両者を固定し更にチューブ状の外装部材２９を被せたものである。電線３１に縦添えされた帯状の板バネ２７は、テープ巻き等の結束手段３３により、適宜間隔で電線３１に固定されている。
【００２３】
ワイヤハーネス組立体１３は、図１に示すように、延長部分１３ｃを略Ｕ字状又は円弧状に撓ませた形態に配索され、可動構造物である窓ガラス５の昇降移動に伴う延長部分１３ｃの変位を帯状の板バネ２７により規制する。従って、ワイヤハーネスは帯状の板バネ２７の剛性が作用するので幅方向にばたつくことがなく、またワイヤハーネスは帯状の板バネ２７の弾性力により常に張力を付与されるので上下方向にばたつくこともない。
【００２４】
上記ワイヤハーネスの配索構造１１は、窓ガラス５の移動に伴うワイヤハーネスの延長部分１３ｃの変位を、当該延長部分１３ｃに縦添えされた１枚の帯状の板バネ２７により規制する構成であり、複数枚の湾曲支持板や摺動補助材が必要となる従来の配索構造と比較すると、使用する部品点数を大幅に削減できると同時に、使用部品の構造を単純化することができる。従って、その配索構造を採用する装置のコスト低減を図ることができる。
【００２５】
また、延長部分１３ｃの変位を規制する帯状の板バネ２７による配索スペースの増大は、ワイヤハーネスの延長部分１３ｃの経路の外側に、帯状の板バネ２７の板厚程度の余裕を持たせる程度で良く、配索スペースの増大を抑止し、省スペース化を実現することができる。
【００２６】
なお、本実施形態では１枚の帯状の板バネ２７を適用しているので、図１に示すように可動側プロテクタ２５が昇降する際、固定側プロテクタ２１と延長部分１３ｃとが沿う間隔が長い。一方、可動側プロテクタ２５が昇降し、延長部分１３ｃが円弧状に撓み変形する際、帯状の板バネ２７が捩れることがある。帯状の板バネ２７が捩れると、ワイヤハーネス組立体に幅方向に動く力が作用する。
【００２７】
そこで本実施形態では、固定側プロテクタ２１は、図２に示すようにワイヤハーネス組立体よりも幅広の間隔を有しワイヤハーネスの幅方向の動きを規制するワイヤハーネス規制部材１５が一体に設けられている。なお、ワイヤハーネス規制部材１５は固定側連結部１３ａから電線延在方向に向けて間隔が拡大した形状に形成されているが、その間隔Ｗ及び長さＬはワイヤハーネス組立体の動きを勘案して決定される。
【００２８】
一方、可動側プロテクタ２５についても、図３に示すように可動側連結部１３ｂに隣接してワイヤハーネス規制部材１７が形成されている。しかし、図１に示すように可動側プロテクタ２５が昇降する際、可動側プロテクタ２５に対し延長部分１３ｃが沿う間隔は短い。
そこで、ワイヤハーネス規制部材１７の間隔ｗはワイヤハーネス組立体の幅に対し幅広に設定されているものの、その長さｌは短かめに設定されている。
【００２９】
上記ワイヤハーネス規制部材１５，１７を設けることにより、帯状の板バネ２７が捩れてもワイヤハーネス組立体１３がワイヤハーネス規制部材１５，１７間に収まり、外部に出ることはない。従って、ワイヤハーネス組立体１３のばたつきが低減されるとともに、他の部材への不所望な接触や異音発生を防止できる。
【００３０】
本発明に係るワイヤハーネスの配索構造により給電する可動構造物は、上記実施形態に示した自動車の昇降式の窓ガラスに限らない。例えば、自動車のスライド式の座席シートや、自動車以外の各種装置等における可動構造物などへの給電にも適用可能である。
【００３１】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３２】
例えば、電線群３１に縦添えする帯状の板バネ２７としては、通常、バネ性と耐久性とを兼ね備えるバネ鋼材やステンレス鋼材が使用されるが、例えば、ガラスエポキシ材のような耐熱性及び機械的特性に優れた樹脂材料製の板材を使用することにより、軽量化を図ることもできる。
【００３３】
更に、結束手段３３としてテープが用いられているが、これに代えて軟性合成樹脂製の結束バンドを適用してもよい。
また、ワイヤハーネス規制部材１５，１７の幅や長さは、ワイヤハーネス組立体１３の移動形態に合わせて適宜変更される。
【符号の説明】
【００３４】
３  バックドア
３ａ  ドアパネル（固定構造物）
５  窓ガラス（可動構造物）
１１  ワイヤハーネスの配索構造
１３  ワイヤハーネス組立体
１３ａ  固定側連結部
１３ｂ  可動側連結部
１３ｃ  延長部分
１５，１７  ワイヤハーネス規制部材
２１  固定側プロテクタ
２３  結束バンド
２５  可動側プロテクタ
２７  帯状の板バネ
２９  外装部材
３１  電線
３３  結束手段
【図１】
2010213376.tif 000003
【図２】
2010213376.tif 000004
【図３】
2010213376.tif 000005
【図４】
2010213376.tif 000006
【図５】
2010213376.tif 000007
【図６】
2010213376.tif 000008